(57)【要約】【課題】  表示手段の傾動動作によるＩＣカードの損傷を防止することができる電子装置を提供する。【解決手段】  筐体１００の前面部１０１を覆うと共に傾動可能に配置されたディスプレイ１３が筐体１００に対して傾動することにより前面部１０１の一部が前方に向けて露出するように形成されたナビゲーション装置１であって、前面部１０１にカード挿入口５５が開放されて設けられており、Ｂ−ＣＡＳ２が挿入されるカードスロット３３と、前面部１０１のカード挿入口３３を開放、又は閉鎖する蓋５４とを設けている。【選択図】        図５
2009105511.tif 000002
【特許請求の範囲】
【請求項１】
装置本体の前面パネルを覆うと共に傾動可能に配置された表示手段が前記装置本体に対して傾動することにより前記前面パネルの一部が前方に向けて露出するように形成された電子装置であって、
前記前面パネルにカード挿入口が開放されて設けられており、ＩＣカードが挿入されるカードスロットと、
前記前面パネルの前記カード挿入口を開放、又は閉鎖する蓋部材とを設けたことを特徴とする電子装置。
【請求項２】
前記装置本体は、該装置本体に対して前記表示手段を傾動させる制御を行う制御手段と、使用者からの前記制御手段に対する操作を受け付ける操作手段と、前記蓋部材が前記カード挿入口を閉鎖したことを検出する検出手段とを備えており、
前記制御手段は、前記検出手段により前記カード挿入口が閉鎖されたことを検出すると、前記操作手段に対して前記表示手段を傾動させる操作を受け付ける制御をすることを特徴とする請求項１記載の電子装置。
【発明の詳細な説明】
【技術分野】
【０００１】
本発明は、ディジタルテレビの受信機能を備えた電子装置に関する。
【背景技術】
【０００２】
現行の地上アナログテレビジョン放送は、２０１１年の放送終了予定であり、その後は、地上デジタル放送へと移行する。
地上デジタル放送では、動画データ、音声データにコピー制御信号（ＣＣＩ（Copy Control Information）を加えた上で暗号化して送信される。視聴する際は、Ｂ−ＣＡＳ（BS-Conditional Access Systems）（登録商標）カードと呼ばれるＩＣカードに格納されている暗号鍵を用いて復号する必要がある。Ｂ−ＣＡＳカードのＩＣチップ内部には、カード毎に固有のＩＤ番号と暗号鍵が格納されている。
【０００３】
ナビゲーション装置においても、現行のアナログ放送からディジタル放送に対応する必要があり、ナビゲーション装置へのＢ−ＣＡＳカードの搭載が検討されている（例えば、特許文献１参照）。
【０００４】
【特許文献１】特開２００６−１９１４３１号公報
【発明の開示】
【発明が解決しようとする課題】
【０００５】
しかしながら装置前面に設けたディスプレイを傾倒させて、装置内にＢ−ＣＡＳカードを挿入するタイプのナビゲーション装置では、Ｂ−ＣＡＳカードを装置内に完全に収納してからディスプレイを起立状態に戻さないと、図１に示すようにディスプレイがＢ−ＣＡＳカードを挟み込み、Ｂ−ＣＡＳカードの変形、破損が生じてしまう恐れがあった。
【０００６】
本発明は上記事情に鑑みてなされたものであり、表示手段の傾動動作によるＩＣカードの損傷を防止した電子装置を提供することを目的とする。
【課題を解決するための手段】
【０００７】
かかる目的を達成するために本発明の電子装置は、装置本体の前面パネルを覆うと共に傾動可能に配置された表示手段が前記装置本体に対して傾動することにより前記前面パネルの一部が前方に向けて露出するように形成された電子装置であって、前記前面パネルにカード挿入口が開放されて設けられており、ＩＣカードが挿入されるカードスロットと、前記前面パネルの前記カード挿入口を開放、又は閉鎖する蓋部材とを設けた構成を備えている。
【０００８】
請求項１記載の発明によれば、使用者が装置本体に設けられたカードスロットにＩＣカードを挿入する際、ＩＣカードをカードスロットに確実に収納しなければ、使用者は蓋部材でカード挿入口を閉鎖することができない。従って、ＩＣカードがカードスロットに確実に収納されない状態のまま表示手段が装置本体の前面を覆うように傾動し、ＩＣカードのカードスロットに収納できていない部分が表示手段によって損傷されることを防止できる。
【０００９】
上記電子装置において、前記装置本体は、該装置本体に対して前記表示手段を傾動させる制御を行う制御手段と、使用者からの前記制御手段に対する操作を受け付ける操作手段と、前記蓋部材が前記カード挿入口を閉鎖したことを検出する検出手段とを備えており、前記制御手段は、前記検出手段により前記カード挿入口が閉鎖されたことを検出すると、前記操作手段に対して前記表示手段を傾動させる操作を受け付ける制御をすることを特徴としている。
【００１０】
請求項２にかかる発明によれば、使用者が装置本体に設けられたカードスロットにＩＣカードを挿入する際、ＩＣカードをカードスロットに確実に収納して、検出手段が蓋部材によりカード挿入口を閉鎖したことを検出しないと、制御手段は、表示手段を傾動させる操作を受け付けない。従って、ＩＣカードがカードスロットに確実に収納されていない状態で、装置本体に対して表示手段を傾動させる操作が入力されても、制御手段が表示手段を動作させることがなく、ＩＣカードの損傷をより確実に防止することができる。
【発明の効果】
【００１１】
本発明によれば、表示手段の傾動動作によるＩＣカードの損傷を防止することができる。
【発明を実施するための最良の形態】
【００１２】
以下、添付図面を参照しながら本発明の好適な実施例を説明する。
【実施例】
【００１３】
まず、図２を参照しながら本実施例のシステム構成を説明する。
図２には本発明をＤＴＶ受信機を備えたナビゲーション装置（装置本体に相当）１に搭載した実施例の構成を示す。
アンテナ１０は、ディジタルテレビジョン放送の放送電波を受信し、電気信号である放送信号に変換する。チューナ２１は、放送信号に所定の処理を施し、復調部及びＦＥＣ部２２にこれを出力する。復調部及びＦＥＣ部２２は、チューナ２１からの信号に関して復調及び誤り訂正処理を行い、ＴＳ（Ｔｒａｎｓｐｏｒｔ Ｓｔｒｅａｍ）デコーダ部２３に出力する。ＴＳデコーダ部２３は、音声データや映像データ及び番組情報等が多重化されている放送信号から、各データを分離する。デスクランブル部２４は、カードスロット３３にＩＣカード（本実施例では、Ｂ−ＣＡＳカード２）が挿入されている場合には、ＣＰＵ（制御手段に相当）３２の制御に従って、復調された放送信号に付加されている不正視聴防止用のスクランブル信号を解除する。音声信号処理部２５は、デジタル圧縮された音声データをデコードし、アナログ信号に変換して、スピーカ１２に出力する。映像信号処理部２６は、デジタル圧縮された映像データをデコードして、ＲＢＧ信号に変換し、表示処理部２７に出力する。表示処理部２７は、ディスプレイ（表示手段に相当）１３にＲＧＢ信号を表示させる。
【００１４】
また、ＧＰＳ情報受信部２８は、ＧＰＳアンテナ１１を介して衛星からのＧＰＳ信号を受信し、受信したＧＰＳ信号をナビゲーション部２９に出力する。
ナビゲーション部２９は、ＧＰＳ信号に基づいてナビゲーション装置を積載した車両の位置を割り出す。また、ナビゲーション部２９は、ハードディスク装置等の記憶媒体（不図示）に記憶された地図情報を読み出して、ナビゲーション動作のための画像（目的地までの地図と誘導経路とが表示された画像）を作成する。作成した画像は、表示処理部２７の処理でディスプレイ１３に表示させる。
【００１５】
ＣＰＵ３２は、ＲＯＭ３１に格納されたプログラムを読み出し、このプログラムに従って処理ユニット２０の全体を制御する。また、ＲＡＭ３０には、ＣＰＵ３２が演算で使用するデータ等が格納される。
【００１６】
図３は、ナビゲーション装置１の車両への搭載例を示す。ナビゲーション装置１は、例えば図３に示すように、運転席５２と助手席５１とのほぼ中央のダッシュボード部分に配置される。なお、図示していないが、ＧＰＳ情報受信部２８のＧＰＳアンテナ１１は、ダッシュボード上に配置、またはフロントガラスの車室内側に貼り付けられている。
【００１７】
図４（Ａ）に、ナビゲーション装置１の外観形状を示し、図４（Ｂ）に、ナビゲーション装置１の前面に設けたディスプレイ１３をチルト（傾動）した状態を示す。
内部に制御用の基板等を納めた筐体１００の前面部１０１には、ディスプレイ１３と、ディスプレイ１３をチルトさせる操作ボタン１０３とが設けられている。ユーザが操作ボタン１０３を操作すると、ＣＰＵ３２は図４（Ａ）に示す起立状態にあったディスプレイ１３を図４（Ｂ）に示す傾動状態にする。また、ＣＰＵ３２は、操作ボタン１０３の操作により、ディスプレイ１３を図４（Ｂ）に示す傾動状態から図４（Ａ）に示す起立状態とする。
ＣＰＵ３２によりディスプレイ１３がチルトすると、図４（Ｂ）に示すようにＢ−ＣＡＳカード２の挿入口（カード挿入口に相当）と、ＣＤ、ＤＶＤの挿入口５３とが外部に露出する。なお、図４（Ｂ）には、Ｂ−ＣＡＳカード２の挿入口を蓋（蓋部材に相当）５４で閉じた状態を示す。なお、蓋５４を設けることでＢ−ＣＡＳカード２がカードスロット３３から外れて、紛失するといった不具合の発生を低減させることができる。
【００１８】
図５には、筐体１００の前面部１０１の構成を示す。
Ｂ−ＣＡＳカード２の挿入口５５を閉じている蓋５４を取り外すと、図５に示すようにＢ−ＣＡＳカード２の挿入口５５と、ＳＤカード、ＳｍａｒｔＭｅｄｉａ（登録商標）等の記録媒体の挿入口５６とが外部に露出する。記録媒体には、ディジタルテレビのバージョンアップ用のソフトウェア等が記録されている。また、Ｂ−ＣＡＳカード２の挿入口５５付近には、凹部５９が設けられおり、この凹部５９に蓋５４の凸部５４５（図８参照）が挿入されると、この凸部５４５の挿入をセンサ１０２（検出手段に相当：図６参照）で検出する。センサ１０２は、凸部５４５を検出すると、ＣＰＵ３２に通知信号を出力する。
また、筐体１００の前面部１０１には、筐体１００内の基板とディスプレイ１３とを接続するための開口５７と、外気をナビゲーション装置１の本体内に取り込むための導入口５８とが設けられている。筐体１００内の基板とディスプレイ１３とはフレキシブルプリント基板（不図示）によって接続される。
【００１９】
筐体１００の内部には、図７に示すように複数の基板、ホルダ、ヒートシンク、ＤＶＤデッキ、ハードディスク装置等が積層されている。図７に示す積層構造の一例では、上から上板６１、ＤＶＤデッキ６２、チューナ２１やカードスロット３３等を搭載した第１ディジタルテレビ用基板６３、ホルダ６４、ディジタルテレビ用の映像処理回路を搭載した第２ディジタルテレビ用基板６５、ヒートシンク６６、ホルダ６７、オーディオ基板６８、ハードディスク装置６９、ホルダ７０、ラジオのＡＭ、ＦＭチューナ、ＦＭのＶＩＣＳチューナ等が搭載された基板７１、底板７２の順に積層されている。
第２ディジタルテレビ用基板６５とホルダ６７との間に配置されたヒートシンク６６は、第２ディジタルテレビ用基板６５からの熱がオーディオ基板６８側に伝わらないように、また、オーディオ基板６８からの熱が第２ディジタルテレビ用基板６５側に伝わらないようにするための放熱板である。ヒートシンク６６に伝わった熱を後述するファンによって機外に排出する。
【００２０】
図８（Ａ）に、蓋５４の表面の形状を示し、図８（Ｂ）に蓋５４の裏面の形状を示し、図８（Ｃ）に蓋５４の側面の形状を示す。
図８（Ａ）に示すように蓋５４の表面には、滑り止め用の凹凸部５４１が設けられている。
また、図８（Ｂ）、（Ｃ）に示すように蓋５４の裏面側であって、蓋５４の上部、側辺部、下部には、それぞれ一対の爪５４２、５４３、５４４が設けられている。これらの爪５４２、５４３、５４４は、筐体１００側に設けた凹部（不図示）と係合して蓋５４を筐体に固定する。
【００２１】
筐体１００から蓋５４を取り外す時には、図９に示すように凹凸部５４１を指で抑えながら横方向に蓋５４をずらすことで、蓋５４の爪と、筐体１００の凹部との係合が外れる。
【００２２】
また、図８（Ｂ）、（Ｃ）に示すように蓋５４の裏面側には、凸部５４５が設けられている。この凸部５４５は、蓋５４が筐体１００の前面部１０１に嵌め込まれたときには、図５に示す筐体前面部の凹部５９に挿入される。凹部５９にはセンサ１０２が設けられており、凸部５４が凹部５９に差し込まれたことを検出して、ＣＰＵ３２に蓋５４の取付けを通知する。
蓋５４の取付けを検出したＣＰＵ３２は、Ｂ−ＣＡＳカード２がカードスロット３３内に完全に挿入されたと判断し、ディスプレイ１３を傾動状態から筐体前面部を閉鎖する起立状態に復帰させる。
【００２３】
本実施例は、筐体１００の前面部１０１にカード挿入口５５が開放されて設けられており、また、Ｂ−ＣＡＳカード２が挿入されるカードスロット３３と、前面部１０１のカード挿入口５５を開放、又は閉鎖する蓋５４とを設けている。
使用者が装置本体に設けられたカードスロット３３にＢ−ＣＡＳカード２を挿入する際、Ｂ−ＣＡＳカード２をカードスロット３３に確実に収納しなければ、使用者は蓋５４でカード挿入口５５を閉鎖することができない。従って、Ｂ−ＣＡＳカード２がカードスロット３３に確実に収納されない状態のまま、ディスプレイ１３が装置本体の前面を覆うように傾動することがない。このため、Ｂ−ＣＡＳカード２のカードスロット３３に確実に収納できていない部分がディスプレイ１３の傾動動作によって損傷されることを防止できる。
【００２４】
また、使用者からの操作を受け付ける操作ボタン１０３と、蓋５４がカード挿入口５５を閉鎖したことを検出するセンサ１２とを設けて、ＣＰＵ３２は、センサ１０２によりカード挿入口５５が閉鎖されたことを検出すると、操作ボタン１０３によるディスプレイ１３を傾動させる操作を受け付ける。
すなわち、カードスロット３３にＢ−ＣＡＳカード２を挿入する際に、Ｂ−ＣＡＳカード２をカードスロット３３に確実に収納し、センサ１０２が蓋５４によりカード挿入口５５を閉鎖したことを検出しないと、使用者の操作ボタン１０３の操作をＣＰＵ３２は受け付けない。このため、Ｂ−ＣＡＳカード２がカードスロット３３に確実に収納されていない状態で、装置本体に対してディスプレイ１３を傾動させる操作入力をしても、ＣＰＵ３２がディスプレイ１３を装置本体の前面を覆うように傾動させることがないので、Ｂ−ＣＡＳカード２が損傷することをより確実に防止できる。
【００２５】
なお、蓋５４を設けない構成の場合には、カードスロット３３側にＢ−ＣＡＳカード２の挿入を検出するセンサを設けて、ＣＰＵ３２は、センサからの信号により、Ｂ−ＣＡＳカード２がカードスロット３３内に完全に挿入されたか否かを判定するとよい。
また、蓋５４を設けない場合には、ＣＤ、ＤＶＤの挿入時と、Ｂ−ＣＡＳカード２の挿入時とでディスプレイ１３のチルト角度を変更してもよい。
例えば、図１０に示すように、ＣＤ／ＤＶＤの挿入を要求する操作が入力されると、図１０（Ａ）に示すようにＣＤ／ＤＶＤの挿入口５３だけが外部に露出するようにＣＰＵ３２は、ディスプレイ１３の傾倒角度を調整する。また、Ｂ−ＣＡＳカード２の挿入要求があった場合には、ディスプレイ１３の傾倒角度を調整して、図１０（Ｂ）に示すようにＣＤ／ＤＶＤの挿入口５３と、Ｂ−ＣＡＳカード２の挿入口５５が外部に露出するようにするとよい。
【００２６】
図１１には、ナビゲーション装置１の筐体背面部の構成を示す。
図１１に示すように筐体背面部には、基板の冷却用のファンや、デジタルテレビ用コネタク８３や各種コネクタが設けられている。
【００２７】
上述した実施例は本発明の好適な実施例である。但し、これに限定されるものではなく、本発明の要旨を逸脱しない範囲内において種々変形実施可能である。
例えば、上述した実施例では、Ｂ−ＣＡＳカード２を例に挙げて説明したが、ＩＣチップを搭載した記録媒体であれば本発明の適用範囲内である。
また、上述した実施例では、ナビゲーション装置を例に説明したが、ディジタルテレビ装置単独の構成であってもよい。
【図面の簡単な説明】
【００２８】
【図１】Ｂ−ＣＡＳカード挿入時の問題点を説明するための図である。
【図２】ナビゲーション装置のシステム構成を示すブロック図である。
【図３】ナビゲーション装置の車両での搭載位置の一例を示す図である。
【図４】（Ａ）はナビゲーション装置の外観形状を示し、（Ｂ）はナビゲーション装置の前面に設けたディスプレイをチルトした状態を示す。
【図５】ナビゲーション装置の筐体前面部を示す図である。
【図６】センサの取付け位置を示す図である。
【図７】ナビゲーション装置内の基板の積層構造を示す図である。
【図８】（Ａ）は蓋の表面形状を示す図であり、（Ｂ）は蓋の裏面形状を示す図であり、（Ｃ）は蓋の側面形状を示す図である。
【図９】蓋の筐体からの取外し方法を説明するための図である。
【図１０】（Ａ）はＣＤ／ＤＶＤの挿入時のディスプレイのチルト角度を示す図であり、（Ｂ）はＢ−ＣＡＳカードの挿入時のディスプレイのチルト角度を示す図である。
【図１１】筐体背面部を示す図である。
【符号の説明】
【００２９】
１  ナビゲーション装置        ２  Ｂ−ＣＡＳカード
１０  アンテナ                １１  ＧＰＳアンテナ
１２  スピーカ                １３  ディスプレイ
２０  処理ユニット            ２１  チューナ
２２  復調部及びＦＥＣ部      ２３  ＴＳデコーダ
２４  デスクランブル部        ２５  音声信号処理部
２６  映像信号処理部          ２７  表示処理部
２８  ＧＰＳ情報受信部        ２９  ナビゲーション部
３０  ＲＡＭ                  ３１  ＲＯＭ
３２  ＣＰＵ                  ３３  カードスロット
１００  筐体                  １０１  前面部
１０２  センサ                １０３  操作ボタン
【図１】
2009105511.tif 000003
【図２】
2009105511.tif 000004
【図３】
2009105511.tif 000005
【図４】
2009105511.tif 000006
【図５】
2009105511.tif 000007
【図６】
2009105511.tif 000008
【図７】
2009105511.tif 000009
【図８】
2009105511.tif 000010
【図９】
2009105511.tif 000011
【図１０】
2009105511.tif 000012
【図１１】
2009105511.tif 000013